【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
透明支持体上に少なくとも層を設けた防眩性反射防止フィルムであって、該支持体の法線と、該フィルム表面の凹凸形状の法線とのなす傾斜角が１°以下である割合が、全体の１５％以上７０％以下であり、かつ該傾斜角が１０°以上の割合が全体の３％以下であることを特徴とする防眩性反射防止フィルム。
【請求項２】
前記傾斜角を０．１°刻みで区切って度数分布を描いたとき、該傾斜角に対する度数分布の最大傾きの絶対値が０．１/°以下であることを特徴とする請求項１に記載の防眩性反射防止フィルム。
【請求項３】
前記傾斜角を０．１°刻みで区切って度数分布を描いたとき、度数が最大となるピークが０．３°以上２．０°以下であることを特徴とする請求項１または２に記載の防眩性反射防止フィルム。
【請求項４】
前記防眩性反射防止フィルムの内部散乱に起因するヘイズ値が０〜３５％であり、かつ、表面散乱に起因するヘイズ値が２〜１５％であることを特徴とする請求項１〜３のいずれかに記載の防眩性反射防止フィルム。
【請求項５】
前記防眩性反射防止フィルムの中心線平均粗さＲａが０．０８〜０．３０μｍであることを特徴とする請求項１〜４のいずれかに記載の防眩性反射防止フィルム。
【請求項６】
ＪＩＳ Ｋ７１０５−１９８１に準じた透過画像鮮明度が光学くし幅０．５ｍｍで測定したときに５％〜６０％であることを特徴とする請求項１〜５のいずれかに記載の防眩性反射防止フィルム。
【請求項７】
前記層が防眩層を有し、該防眩層は透光性樹脂と透光性粒子とを少なくとも含有することを特徴とする、請求項１〜６のいずれかに記載の防眩性反射防止フィルム。
【請求項８】
前記透光性樹脂が、少なくとも３官能以上の（メタ）アクリレートモノマーを主成分としてなり、前記透光性粒子がアクリル含率５０〜１００質量％である架橋ポリ（メタ）アクリレート系重合体である粒子を少なくとも含むことを特徴とする請求項７に記載の防眩性反射防止フィルム。
【請求項９】
前記透光性樹脂が、少なくとも３官能以上の（メタ）アクリレートモノマーを主成分としてなり、前記透光性粒子がアクリル含率５０質量％以上１００質量％未満である架橋ポリ（アクリル−スチレン）共重合体である粒子を少なくとも含むことを特徴とする請求項７に記載の防眩性反射防止フィルム。
【請求項１０】
偏光膜と、該偏光膜の両側に設けられた２枚の保護フィルムとを有する偏光板において、該保護フィルムの少なくとも一方が、請求項１〜９のいずれかに記載の防眩性反射防止フィルムであることを特徴とする偏光板。
【請求項１１】
前記２枚の保護フィルムの少なくとも一方が、光学異方性層を有する光学補償フィルムを有することを特徴とする請求項１０に記載の偏光板。
【請求項１２】
前記２枚の保護フィルムのうち、防眩性反射防止フィルムとは反対に配置される保護フィルムが、液晶性化合物の配向を固定した光学異方性層を有する光学補償フィルムであることを特徴とする請求項１０または１１に記載の偏光板。
【請求項１３】
前記２枚の保護フィルムのうち、防眩性反射防止フィルムとは反対に配置される保護フィルムが、前記偏光膜と貼り合せる面とは反対側の面にディスコティック構造単位を有する化合物からなる光学異方性層を有する光学補償フィルムである事を特徴とする請求項１０〜１２のいずれかに記載の偏光板。
【請求項１４】
少なくとも一枚の光学補償フィルムと偏光板とを粘着層を介して貼り合せた複合偏光板であって、該偏光板が請求項１０〜１３のいずれかに記載の偏光板であることを特徴とする積層偏光板。
【請求項１５】
請求項１０〜１４のいずれかに記載の偏光板を少なくとも一枚有することを特徴とする液晶表示装置。
【請求項１６】
偏光板、表示用液晶セル、バックライトを少なくとも含み、最大輝度が３００ｃｄ/ｍ2以上、白/黒表示における暗室コントラスト比が液晶セル法線方向において５００以上、該法線に対して３０°以内の角度範囲で１５０以上、該法線に対して６０°以内の角度範囲で１５以上である液晶表示装置であって、請求項１０〜１４のいずれかに記載の偏光板が該液晶表示装置の観察者側最表面に配置されていることを特徴とする液晶表示装置。
【請求項１７】
表示画面の対角が２０インチ以上であることを特徴とする請求項１５または１６に記載の液晶表示装置。
【手続補正２】
【補正対象書類名】明細書
【補正対象項目名】０００８
【補正方法】変更
【補正の内容】
【０００８】
本発明者らは、上述の課題を解消すべく鋭意検討した結果、下記構成とすることにより、前記課題を解決し目的を達成しうることを知見し、本発明を完成するに至った。
すなわち本発明は、下記の構成により前記目的を達成したものである。
１）透明支持体上に少なくとも層を設けた防眩性反射防止フィルムであって、該支持体の法線と、該フィルム表面の凹凸形状の法線とのなす傾斜角が１°以下である割合が、全体の１５％以上７０％以下であり、かつ該傾斜角が１０°以上の割合が全体の３％以下であることを特徴とする防眩性反射防止フィルム。
２）前記傾斜角を０．１°刻みで区切って度数分布を描いたとき、該傾斜角に対する度数分布の最大傾きの絶対値が０．１/°以下であることを特徴とする上記１）に記載の防眩性反射防止フィルム。
３）前記傾斜角を０．１°刻みで区切って度数分布を描いたとき、度数が最大となるピークが０．３°以上２．０°以下であることを特徴とする上記１）または２）に記載の防眩性反射防止フィルム。
４）前記防眩性反射防止フィルムの内部散乱に起因するヘイズ値が０〜３５％であり、かつ、表面散乱に起因するヘイズ値が２〜１５％であることを特徴とする上記１）〜３）のいずれかに記載の防眩性反射防止フィルム。
５）前記防眩性反射防止フィルムの中心線平均粗さＲａが０．０８〜０．３０μｍであることを特徴とする上記１）〜４）のいずれかに記載の防眩性反射防止フィルム。
６）ＪＩＳ Ｋ７１０５−１９８１に準じた透過画像鮮明度が光学くし幅０．５ｍｍで測定したときに５％〜６０％であることを特徴とする上記１）〜５）のいずれかに記載の防眩性反射防止フィルム。
７）前記層が防眩層を有し、該防眩層は透光性樹脂と透光性粒子とを少なくとも含有することを特徴とする、上記１）〜６）のいずれかに記載の防眩性反射防止フィルム。
８）前記透光性樹脂が、少なくとも３官能以上の（メタ）アクリレートモノマーを主成分としてなり、前記透光性粒子がアクリル含率５０〜１００質量％である架橋ポリ（メタ）アクリレート系重合体である粒子を少なくとも含むことを特徴とする上記７）に記載の防眩性反射防止フィルム。
９）前記透光性樹脂が、少なくとも３官能以上の（メタ）アクリレートモノマーを主成分としてなり、前記透光性粒子がアクリル含率５０質量％以上１００質量％未満である架橋ポリ（アクリル−スチレン）共重合体である粒子を少なくとも含むことを特徴とする上記７）に記載の防眩性反射防止フィルム。
１０）偏光膜と、該偏光膜の両側に設けられた２枚の保護フィルムとを有する偏光板において、該保護フィルムの少なくとも一方が、上記１）〜９）のいずれかに記載の防眩性反射防止フィルムであることを特徴とする偏光板。
１１）前記２枚の保護フィルムの少なくとも一方が、光学異方性層を有する光学補償フィルムを有することを特徴とする上記１０）に記載の偏光板。
１２）前記２枚の保護フィルムのうち、防眩性反射防止フィルムとは反対に配置される保護フィルムが、液晶性化合物の配向を固定した光学異方性層を有する光学補償フィルムであることを特徴とする上記１０）または１１）に記載の偏光板。
１３）前記２枚の保護フィルムのうち、防眩性反射防止フィルムとは反対に配置される保護フィルムが、前記偏光膜と貼り合せる面とは反対側の面にディスコティック構造単位を有する化合物からなる光学異方性層を有する光学補償フィルムである事を特徴とする上記１０）〜１２）のいずれかに記載の偏光板。
１４）少なくとも一枚の光学補償フィルムと偏光板とを粘着層を介して貼り合せた複合偏光板であって、該偏光板が上記１０）〜１３）のいずれかに記載の偏光板であることを特徴とする積層偏光板。
１５）上記１０）〜１４）のいずれかに記載の偏光板を少なくとも一枚有することを特徴とする液晶表示装置。
１６）偏光板、表示用液晶セル、バックライトを少なくとも含み、最大輝度が３００ｃｄ/ｍ2以上、白/黒表示における暗室コントラスト比が液晶セル法線方向において５００以上、該法線に対して３０°以内の角度範囲で１５０以上、該法線に対して６０°以内の角度範囲で１５以上である液晶表示装置であって、上記１０）〜１４）のいずれかに記載の偏光板が該液晶表示装置の観察者側最表面に配置されていることを特徴とする液晶表示装置。
１７）表示画面の対角が２０インチ以上であることを特徴とする上記１５）または１６）に記載の液晶表示装置。